(57)【特許請求の範囲】
【請求項１】
被検体にＸ線を照射するＸ線管と、被検体からの透過Ｘ線を検出する透過Ｘ線検出器とが、Ｃ字状アーム（Ｃ型アーム）に保持されているＸ線診断装置において、Ｃ字形状アームの両端部に被検体を挟んで相対するようにして取り付けられている第１および第２の２個のＸ線管と、被検体と第２Ｘ線管の間において被検体を挟んで第１Ｘ線管と対向する位置に配置されるとともにＸ線検出素子が縦横に配列されている透過Ｘ線検出器としての第１Ｘ線面センサと、被検体と第１Ｘ線管の間において被検体を挟んで第２Ｘ線管と対向する位置に配置されるとともにＸ線検出素子が縦横に配列されている透過Ｘ線検出器としての第２Ｘ線面センサとを備えているとともに、第１Ｘ線管によるＸ線照射が行われる時には第２Ｘ線面センサを第１Ｘ線管からの照射Ｘ線を遮らない位置へ退避させられるとともに、第２Ｘ線管によるＸ線照射が行われる時には第１Ｘ線面センサを第２Ｘ線管からの照射Ｘ線を遮らない位置へ退避させられるよう構成されていることを特徴とするＸ線診断装置。
【発明の詳細な説明】
【０００１】
【発明の属する技術分野】
この発明は、被検体（患者）にＸ線を照射するＸ線管と透過Ｘ線を検出する透過Ｘ線検出器とがＣ字状アームに保持されているＸ線診断装置に係り、特に、反対方向からのＸ線撮影が簡単に行えるようにするための技術に関する。
【０００２】
【従来の技術】
従来、病院等で用いられているＣ型アームタイプのＸ線診断装置では、図１３（ａ）に示すように、天板６０に載置された患者ＭにＸ線を照射するＸ線管６１と、患者Ｍからの透過Ｘ線を検出するイメージインテンシファイア６２とがＣ字状アーム（Ｃ型アーム）６３の両端部に患者Ｍを挟んで対向するかたちで取り付け保持されており、図示の如く、装置全体を台車６４で移動させられる構成となっている場合も多い。
【０００３】
Ｘ線撮影を実行する場合、Ｘ線管６１から患者ＭにＸ線を照射して、患者Ｍの透過Ｘ線像をイメージインテンシファイア６２で検出し、イメージインテンシファイア６２で検出された透過Ｘ線像をイメージインテンシファイア６２の後端に設置されたＴＶカメラ６５で撮像して、最終的にモニタ（図示省略）の画面にＸ線透視画像として映し出す。
【０００４】
上記のようにして、患者Ｍの患部をＸ線透視するのであるが、Ｘ線撮影対象の部位や病変状況によっては、反対方向からもＸ線撮影する必要のある場合がある。反対方向からＸ線撮影を行う場合には、図１３（ｂ）に示すように、Ｘ線管６１とイメージインテンシファイア６２の位置を入れ替えて、先の場合と同様にＸ線撮影を実行することになる。
【０００５】
【発明が解決しようとする課題】
しかしながら、上記の従来のＸ線診断装置の場合、反対方向からＸ線撮影を行うことが簡単ではないという問題がある。
反対方向からのＸ線撮影を行う場合、図１３（ａ）の状態から、Ｃ字状アーム６３をＸ軸を回転軸として１８０°回転させることにより、図１３（ｂ）の状態に移行させるわけであるが、この時、天板６０をいったん後退させるか、Ｘ線診断装置の方を天板６０から外れた位置へ移動させなければ、Ｃ字状アーム６３を１８０°回転させることは出来ない。勿論、Ｃ字状アーム６３を１８０°回転させた後、天板６０あるいはＸ線診断装置を元の位置に復帰させる必要もある。このように、従来のＸ線診断装置の場合、反対方向からのＸ線撮影を行う場合には非常に手間がかかり、簡単ではないのである。
【０００６】
この発明は、上記の事情に鑑み、反対方向からのＸ線撮影が簡単に行えるＸ線診断装置を提供することを課題とする。
【０００７】
【課題を解決するための手段】
上記課題を達成するため、この発明のＸ線診断装置は、被検体にＸ線を照射するＸ線管と、被検体からの透過Ｘ線を検出する透過Ｘ線検出器とがＣ字状アーム（Ｃ型アーム）に保持されているＸ線診断装置において、Ｃ字形状アームの両端部に被検体を挟んで相対するようにして取り付けられている第１および第２の２個のＸ線管と、被検体と第２Ｘ線管の間において被検体を挟んで第１Ｘ線管と対向する位置に配置されるとともにＸ線検出素子が縦横に配列されている透過Ｘ線検出器としての第１Ｘ線面センサと、被検体と第１Ｘ線管の間において被検体を挟んで第２Ｘ線管と対向する位置に配置されるとともにＸ線検出素子が縦横に配列されている透過Ｘ線検出器としての第２Ｘ線面センサとを備えているとともに、第１Ｘ線管によるＸ線照射が行われる時には第２Ｘ線面センサを第１Ｘ線管からの照射Ｘ線を遮らない位置へ退避させられるとともに、第２Ｘ線管によるＸ線照射が行われる時には第１Ｘ線面センサを第２Ｘ線管からの照射Ｘ線を遮らない位置へ退避させられるよう構成されている。
【０００８】
〔作用〕
次に、この発明のＸ線診断装置によるＸ線撮影実行の際の作用について説明する。
この発明のＸ線診断装置の場合、Ｘ線管が２個あり、第１Ｘ線管によるＸ線撮影と第２Ｘ線管によるＸ線撮影のいずれかを行うのであるが、先ず、第１Ｘ線管および第２Ｘ線管が被検体の撮影対象部位を互いに逆方向から臨む位置へセットするとともに、第１および第２のＸ線管のうちの一方を使用Ｘ線管として選択する。今は第１Ｘ線管が選択されたものとする。そして、透過Ｘ線検出用の第１Ｘ線面センサを、被検体と第２Ｘ線管の間において被検体を挟んで第１Ｘ線管と対向する位置にセットするとともに、第２Ｘ線面センサの方は第１Ｘ線管からの照射Ｘ線を遮らない位置へ退避させておいてから、第１Ｘ線管から被検体にＸ線を照射する。そうすると、被検体へのＸ線照射に伴って、第１Ｘ線面センサからＸ線検出データが出力されるとともに、このＸ線検出データに基づき被検体のＸ線透視画像が得られる。
【０００９】
また、第２Ｘ線管が選択された場合には、透過Ｘ線検出用の第２Ｘ線面センサの方を、被検体と第１Ｘ線管の間において被検体を挟んで第２Ｘ線管と対向する位置にセットするとともに、逆に第１Ｘ線面センサの方は第２Ｘ線管からの照射Ｘ線を遮らない位置へ退避させておいてから、第２Ｘ線管から被検体にＸ線を照射すればよい。
【００１０】
第１Ｘ線管と第２Ｘ線管は相対していて、Ｘ線照射方向が逆向きになるので、第１Ｘ線面センサで得られるＸ線透視画像と、第２Ｘ線面センサで得られるＸ線透視画像とは撮影方向が反対となる関係にある。つまり、この発明のＸ線診断装置では、反対方向からのＸ線撮影を実行する場合に移動させるのは、第１，第２の両Ｘ線面センサだけであり、Ｃ字状アームについては全く移動させる必要がない。第１，第２の両Ｘ線面センサは薄型・軽量であるので、２個のＸ線管と２個のＸ線面センサを一つのＣ字状アームに装備することが可能なのであるが、従来のように透過Ｘ線検出器としてイメージインテンシファイアを使う場合は、イメージインテンシファイアが大型の重量物であるため、２個のＸ線管と２個のイメージインテンシファイアを一つのＣ字状アームに装備して、この発明の同様の構成をとるようなことは出来ない。
【００１１】
【発明の実施の形態】
続いて、この発明の一実施例を図面を参照しながら説明する。図１は実施例に係るＸ線診断装置の全体構成を示すブロック図である。
図１のＸ線診断装置は、被検体Ｍを載置する天板１を備えているとともに、患者（被検体）ＭにＸ線を照射する第１Ｘ線管２および第２Ｘ線管３と、Ｘ線検出素子が縦横に配列されている透過Ｘ線検出用の第１フラットパネル型Ｘ線センサ（以下、「第１Ｘ線センサ」と略記）４およびＸ線検出素子が縦横に配列されている透過Ｘ線検出用の第２フラットパネル型Ｘ線センサ（以下、「第２Ｘ線センサ」と略記）５とをＣ字状アーム６に保持された形で備えている。
なお、天板１は患者Ｍの体軸Ｚ方向に往復移動可能に構成されている。
【００１２】
第１Ｘ線管２および第２Ｘ線管３は、Ｃ字状アーム６の両端部に患者Ｍを挟んで相対するようにして取り付けられて保持され、第１Ｘ線センサ４および第２Ｘ線センサ５は、Ｃ字状アーム６の内側に設けられたネジ棒（螺軸）７，８に取り付けられて保持されている。そして、Ｃ字状アーム６は患者Ｍの体軸Ｚの周りを、矢印Ｗ１で示すように円弧状に往復移動可能な形でアーム支持部９に支持されているとともに、アーム支持部９そのものが、水平軸Ｘを回転軸として、矢印Ｗ２で示す方向に正逆回転可能に、台車１１の上に設けられた基台１０に取り付けられていて、アーム支持部９の回転に応じて両Ｘ線管２，Ｘ線管３の傾きが変化しＸ線照射方向が変わるよう構成されている。なお、台車１１が移動するのに連れて、両Ｘ線管２，３や両Ｘ線センサ４，５およびＣ字状アーム６など基台１０に装備されている全てのものが、一緒に移動することは言うまでもない。
【００１３】
また、両Ｘ線センサ４，５の後段には、両Ｘ線センサ４，５から出力されるＸ線検出データを収集し、センサ選択スイッチ１４を介して画像処理部１５へ送り出す第１信号収集部１２および第２信号収集部１３が設置されている。これら信号収集部１２，１３の後段の画像処理部１５は、Ｘ線検出データをディジタル信号に変換するＡＤ変換部１６，ディジタル化されたＸ線検出データを記憶する検出データメモリ１７、検出データメモリ１７に記憶されたＸ線検出データにエッジ強調やフィルタリングなどの必要な画像処理を施すことによりＸ線画像を作成するデータ処理部１８、および、得られたＸ線画像を記憶するＸ線画像メモリ１９を具備している。勿論、Ｘ線透視撮影中、Ｘ線画像メモリ１９に格納されたＸ線画像は次々と更新され続けることになる。
【００１４】
また、各Ｘ線管２，３は、高電圧発生器などを含む照射制御部２０のコントロールにより、管電圧・管電流等の設定照射条件に従ってＸ線を患者Ｍに照射するよう構成されている。照射制御部２０によるコントロールは、キーボード２１やマウス２２からの設定操作に伴って撮影制御部２３から送出される指令信号に従って行われる。また、天板１の移動は、天板制御部２４のコントロールにより行われるよう構成されている。天板制御部２４によるコントロールも、キーボード２１やマウス２２からの設定操作に伴って撮影制御部２３から送出される指令信号に従って行われる。
【００１５】
一方、天板１の横には、画像表示モニタ２５が設置されており、Ｘ線画像メモリ１９に記憶されたＸ線画像を表示するよう構成されている他、Ｘ線画像メモリ１９に記憶されるＸ線画像をフィルムに焼き付けて画像写真として出力する画像焼付け記録部（レザー式イメージャー）２６も設けられている。そして、キーボード２１やマウス２２からの操作入力により撮影制御部２３から送出される指令信号に従って、Ｘ線画像メモリ１９に記憶されたＸ線画像が画像表示モニタ２５へ出力されて表示されたり、画像焼付け記録部２６から画像写真として送り出される構成となっている。
【００１６】
さらに、Ｃ字状アーム６の矢印Ｗ１で示す方向の往復移動や、アーム支持部９の矢印Ｗ２で示す方向の正逆回転は、アーム制御部２７のコントロールにより行われるよう構成されており、アーム制御部２７によるコントロールも、やはりキーボード２１やマウス２２からの設定操作に伴って撮影制御部２３から送出される指令信号に従って行われる。
【００１７】
続いて、Ｘ線検出データを出力するＸ線センサ４，５の構成を具体的に説明しておく。Ｘ線センサ４，５におけるＸ線検出素子の配列としては、例えば横（ｘ）方向１０２４，縦（ｙ）方向１０２４の正方形マトリックス構成が挙げられる。また、Ｘ線センサ４，５の平面寸法としては、例えば縦横約３０ｃｍが挙げられる。このＸ線センサ４，５は、矩形の平面形状を有することから、胸部や腹部など大きな部位を撮影するのに適した方形の検出面が可能である他、画像周辺の像歪みが殆どなく解像度も高い上、また薄型・軽量であるなど多くの利点を有する。
【００１８】
Ｘ線センサ４，５は、図２に示すように、入射Ｘ線を電荷あるいは光に変換するＸ線変換層３０と、Ｘ線変換層３０で生じた電荷あるいは光を検出する素子が縦横にマトリックス状に配置形成されている検出アレイ層３１との積層構造となっており、図３（ａ）に示す直接変換タイプのセンサと、図３（ｂ）に示す間接変換タイプのセンサとがある。
【００１９】
前者の直接変換タイプの場合、Ｘ線変換層３０が入射Ｘ線を直に電荷に変換するセレン層やＣｄＺｎＴｅ層などからなり、検出アレイ層３１の表面に電荷検出素子３２として表面電極３３に対向形成された電荷収集電極でもって電荷の検出を行いコンデンサＣ１に蓄電する構成となっていて、各電荷検出素子３２とその上のＸ線変換層３０の一部分およびコンデンサＣ１とで１個のＸ線検出素子ＸＤが形成される。
【００２０】
後者の間接変換タイプの場合、Ｘ線変換層３０が入射Ｘ線を光に変換するシンチレータ層からなり、検出アレイ層３１の表面に光検出素子３４として形成されたフォトダイオードでもって光の検出を行いコンデンサＣ１に蓄電する構成となっていて、各光検出素子３４とその上のＸ線変換層３０の一部分およびコンデンサＣ１とで１個のＸ線検出素子ＸＤが形成される。
【００２１】
そして、Ｘ線センサ４，５では、図４に示すように、各Ｘ線検出素子ＸＤ，…，ＸＤがそれぞれＴＦＴ（Thin Film Transister：薄膜トランジスタ) ３５を介して縦横に走る読出し配線３６，３７に接続されているとともに、読出し配線３６，３７は、それぞれ横読出し駆動部３８あるいは縦読出し駆動部３９に接続されており、横・縦読出し駆動部３８，３９へ読出し用の走査信号が送り込まれることになる。Ｘ線センサ４，５の各Ｘ線検出素子ＸＤの特定は横方向・縦方向の配列に沿って各Ｘ線検出素子ＸＤへ順番に割り付けられている０〜１０２３のアドレスに基づいて行われるので、読出し用の走査信号は、それぞれ横方向アドレスまたは縦方向アドレスを指定する信号となる。
【００２２】
横・縦の走査信号に従って横読出し駆動部３８あるいは縦読出し駆動部３９から読出し配線３６，３７に対して読出し用の電圧が印加されるのに伴い、各検出素子ＸＤ，…，ＸＤより順番にＸ線検出信号がＴＦＴ３５から読出し配線３７を通り、さらに透視用Ｘ線検出データとして信号収集部１２，１３の各プリアンプ４０およびマルチプレクサ４１を経て収集されることになる。
【００２３】
上記のことから、Ｘ線センサ４，５からの検出信号の読出し方式は、概ね通常のＴＶカメラなどの映像検出器に準ずる構成である。
第１実施例では、信号収集部１２，１３を構成する両読出し駆動部３８，３９や、プリアンプ４０およびマルチプレクサ４１も、Ｘ線センサ４，５の検出アレイ層３１の表面周縁に設置されていて、一段と集積化が図られた構成となっている。
【００２４】
また、Ｘ線センサ４，５から得られたＸ線検出データを記憶する検出データメモリ１７やＸ線画像を記憶するＸ線画像メモリ１９は、Ｘ線センサ４，５でのＸ線検出素子ＸＤの縦横マトリック構成に対応するマトリックス構成を持つフレームメモリ方式の記憶デバイスが使われている。
【００２５】
そして、実施例のＸ線診断装置では、特徴的なこととして、第１Ｘ線管２によるＸ線撮影と、第２Ｘ線管３によるＸ線撮影との切替えが可能な構成となっている。
第１Ｘ線管２によるＸ線撮影の場合、第１Ｘ線センサ４を、患者Ｍと第２Ｘ線管３の間において患者Ｍを挟んで第１Ｘ線管２と対向する位置にセットするとともに、第２Ｘ線センサ５の方は第１Ｘ線管２からの照射Ｘ線を遮らない位置へ退避させて、Ｘ線撮影が行われる。
【００２６】
逆に、第２Ｘ線管３によるＸ線撮影の場合、第２Ｘ線センサ５を、患者Ｍと第１Ｘ線管２の間において患者Ｍを挟んで第２Ｘ線管３と対向する位置にセットするとともに、第１Ｘ線センサ４の方は第２Ｘ線管３からの照射Ｘ線を遮らない位置へ退避させて、Ｘ線撮影が行われる。
第１Ｘ線管２によるＸ線撮影と、第２Ｘ線管３によるＸ線撮影との切替えは、撮影選択部２８のコントロールにより行われるよう構成されており、撮影選択部２８によるコントロールも、やはりキーボード２１やマウス２２からの設定操作に伴って撮影制御部２３から送出される指令信号に従って行われる。
【００２７】
次に、Ｘ線撮影の切替えに伴って必要となる両Ｘ線センサ４，５の移動機構について具体的に説明する。
図５に示すように、各Ｘ線センサ４，５が取り付けられているネジ棒７，８は円筒ケース７ａ，８ａに納められた状態で、電動モータ４２，４３により、それぞれ独立して回転できるようにして、円筒ケース７ａ，８ａの端面同士が接した直列配列の形でＣ字状アーム６に渡されている。一方、各ネジ棒７，８には、ネジ棒７，８の正逆回転に応じて上または下に進む移動ブロック４４，４５がネジ結合しているとともに、円筒ケース７ａ，８ａの側面に長手方向に沿って続く窓７ｂ，８ｂが開けられており、この移動ブロック４４，４５のそれぞれとＸ線センサ４，５とが窓７ｂ，８ｂを通して接続バー４６，４７により結合された状態になっている。
【００２８】
この結果、電動モータ４２が回転した場合、移動ブロック４４が移動するのに連れて、接続バー４６が窓７ｂに沿って移動すると同時にＸ線センサ４も上下する。また、電動モータ４３が回転した場合、移動ブロック４５が移動するのに連れて、接続バー４７が窓８ｂ沿って移動すると同時にＸ線センサ５も上下することになる。
【００２９】
さらに、窓７ｂ，８ｂは、図６に示すように、上端側および下端側では横方向へ曲がっており、下降して来たＸ線センサ４は、一点鎖線で示すように、右側へ旋回して照射Ｘ線を遮らない位置へ退避し、上昇して来たＸ線センサ５も、一点鎖線で示すように、右側へ旋回して照射Ｘ線を遮らない位置へ退避する構成となっている。したがって、Ｘ線センサ４，５は、窓７ｂ，８ｂの直線域にある時は、照射Ｘ線を遮る位置、つまり透過Ｘ線を検出する位置にあることになる。
【００３０】
続いて、上述した構成を有する実施例のＸ線診断装置によりＸ線撮影を実行する時の動作を図９のフローチャートを参照して説明する。以下では、先ず第１Ｘ線管２によるＸ線撮影を行った後、第２Ｘ線管３によるＸ線撮影を行う。
〔ステップＳ１〕天板１の上に患者Ｍを載せてから天板１を移動させて患者Ｍを透視撮影位置へセットする。
【００３１】
〔ステップＳ２〕キーボード２１またはマウス２２からの入力操作により第１Ｘ線管２によるＸ線撮影を選択指定する。
【００３２】
〔ステップＳ３〕ネジ棒８が回転して、図７に示すように、第２Ｘ線センサ５が退避位置へ移動するとともに、第１Ｘ線センサ４は透過Ｘ線を検出できる位置に留まる。同時に、センサ選択スイッチ１４が第１Ｘ線センサ４の側にセットされる。
【００３３】
〔ステップＳ４〕キーボード２１またはマウス２２からの入力操作により撮影を開始させると、第１Ｘ線管２から患者ＭにＸ線が照射される。
【００３４】
〔ステップＳ５〕Ｘ線照射に伴ってＸ線センサ４から出力されるデータが検出データメモリ１７に格納されるとともに、データ処理部１８により画像データ処理が行われ、Ｘ線透視画像がモニタ２５の画面に映し出されて表示される。
【００３５】
〔ステップＳ６〕第１Ｘ線管２によるＸ線撮影が終われば、直ちにキーボード２１またはマウス２２からの入力操作により第２Ｘ線管３によるＸ線撮影を選択指定する。
【００３６】
〔ステップＳ７〕ネジ棒７が回転して、図８に示すように、第１Ｘ線センサ４が退避位置へ移動するとともに、ネジ棒８が回転して、第２Ｘ線センサ５が透過Ｘ線を検出できる位置に移動する。同時に、センサ選択スイッチ１４が第２Ｘ線センサ５の側にセットされる。
【００３７】
〔ステップＳ８〕キーボード２１またはマウス２２からの入力操作により撮影を開始させると、第２Ｘ線管３から患者ＭにＸ線が照射される。
【００３８】
〔ステップＳ９〕Ｘ線照射に伴ってＸ線センサ５から出力されるデータが検出データメモリ１７に格納されるとともに、データ処理部１８により画像データ処理が行われ、Ｘ線透視画像がモニタ２５の画面に映し出されて表示される。
【００３９】
実施例のＸ線診断装置の場合、第１Ｘ線管２と第２Ｘ線管３とは相対しており、Ｘ線照射方向が逆になるので、第１Ｘ線センサ４で得られるＸ線透視画像と、第２Ｘ線センサ５で得られるＸ線透視画像とは撮影方向が反対となる。つまり、この発明のＸ線診断装置では、反対方向からのＸ線撮影を実行する場合に移動させるのは、第１，第２の両Ｘ線センサ４，５だけであり、Ｃ字状アーム６については移動させる必要がないのである。また、Ｃ字状アーム６の両端部の重量負荷がバランスしており、Ｃ字状アーム６の動きもスムーズとなる。
【００４０】
続いて、この発明の他の実施例を図面を参照しながら説明する。図１０は他の実施例に係るＸ線診断装置の要部構成を示すブロック図である。他の実施例においては、Ｘ線センサ４，５が、支持バー５１，５２を介して電動モータ５３，５４の回転により撮影位置と退避位置の間を移動可能に構成されている他は、先の実施例と全く同一の構成であるので、構成の異なる部分のみを説明し、他の部分の説明は省略する。
【００４１】
他の実施例の装置では、第１Ｘ線管２によるＸ線撮影の場合、図１１（ａ）に示すように、第１Ｘ線センサ４を、患者Ｍと第２Ｘ線管３の間において患者Ｍを挟んで第１Ｘ線管２と対向する位置にセットするとともに、第２Ｘ線センサ５の方を電動モータ５４で横方向に回動させて第１Ｘ線管２からの照射Ｘ線を遮らない位置へ退避させて、Ｘ線撮影が行われることになる。
【００４２】
逆に、第２Ｘ線管３によるＸ線撮影の場合、図１１（ｂ）に示すように、第２Ｘ線センサ５を、患者Ｍと第２Ｘ線センサ５を電動モータ５４で、患者Ｍと第１Ｘ線管２の間において患者Ｍを挟んで第２Ｘ線管３と対向する位置に移動させるとともに、第１Ｘ線センサ４の方は、電動モータ５３で横方向に回動させて第２Ｘ線管３からの照射Ｘ線を遮らない位置へ退避させて、Ｘ線撮影が行われる。
図１０に示す他の実施例のＸ線診断装置の場合も、Ｃ字状アーム６の両端部の重量負荷がバランスしており、Ｃ字状アーム６の動きはスムーズである。
【００４３】
この発明は上記実施の形態に限られることはなく、下記のように変形実施することができる。
（１）上の両実施例装置では、Ｘ線管２，３が同一構成のものであったが、Ｘ線管２，３の種類が異なるようであってもよい。
Ｘ線管２が焦点サイズの小さな高画質の画像が得られるステレオＸ線管であって、Ｘ線管３が、長時間の連続運転可能な出力容量の大きなＸ線管であり、１台の装置でもって、ステレオ撮影や長時間の透視撮影の両方が可能となる構成の装置が、変形例として挙げられる。
【００４４】
また、Ｘ線管２とＸ線管３が照射するＸ線のエネルギーが異なる構成の装置が変形例として挙げられる。Ｘ線管２とＸ線管３の前面に異なるフィルターを装着してＸ線のエネルギーを異ならせることができる。あるいは、Ｘ線管２とＸ線管３のターゲーットの材質を異ならせることにより、Ｘ線のエネルギーを異ならせることができる。
【００４５】
Ｘ線管２とＸ線管３が照射するＸ線のエネルギーが異なる場合、骨部組織を捉え易い高エネルギーＸ線による画像と、軟部組織を捉え易い低エネルギーＸ線による画像との間で、適当な重み付けを与えたサブトラクション処理を行うことにより、骨部組織だけの画像、あるいは、軟部組織だけの画像を得ることが可能となる。
【００４６】
（２）また、実施例装置の場合、頭部ＤＳＡ撮影にも用いた場合には鮮明な画像が簡単に得られる。図１２（ａ）に示すように、Ｘ線センサ４を撮影位置にセットし、Ｘ線センサ５を退避位置にセットしておいて、選択的に造影した頭部左側の撮影部位Ｍａを、Ｘ線管２とＸ線センサ４により撮影した後、次に、図１２（ｂ）に示すように、Ｘ線センサ４を退避位置にセットし、Ｘ線センサ５を撮影位置にセットしておいて、選択的に造影した頭部右側の撮影部位ＭｂをＸ線管３とＸ線センサ５により撮影する。Ｘ線センサ４，５の位置だけを移動させることにより、Ｘ線センサ４，５が撮影部位Ｍａ，Ｍｂに近くなって、鮮明な画像が得られる。
【００４７】
（３）この発明のＸ線診断装置は、天板１やモニタ２５を備えていない構成であってもよいし、Ｃ字状アームが台車ではなく、天井を走行移動可能な吊設支持部に設置されている構成であってもよい。
【００４８】
（４）両実施例では、Ｘ線センサ４，５を電動モータの駆動力を利用して移動させる構成であったが、Ｘ線センサ４，５を手動で移動させる構成のものが変形例として挙げられる。
【００４９】
【発明の効果】
この発明のＸ線診断装置によれば、Ｃ字状アームに被検体を挟んで２個のＸ線管と２個のＸ線面センサが設けられていて、Ｘ線面センサを撮影位置と退避位置との間を移動させるだけで、Ｘ線照射方向を逆転させてＸ線撮影することができる構成を備えていることから、反対方向からのＸ線撮影を簡単に行うことができる。
【図面の簡単な説明】
【図１】実施例のＸ線診断装置の全体構成を示すブロック図である。
【図２】フラットパネル型Ｘ線センサの大略構成を示す斜視図である。
【図３】フラットパネル型Ｘ線センサの層構造を示す断面図である。
【図４】フラットパネル型Ｘ線センサまわりの回路構成を示すブロック図である。
【図５】実施例装置のＸ線センサの取り付け構造を示す断面図である。
【図６】実施例装置のＸ線センサの取り付け構造を示す斜視図である。
【図７】実施例の第１Ｘ線管によるＸ線撮影時の様子を示す模式図である。
【図８】実施例の第２Ｘ線管によるＸ線撮影時の様子を示す模式図である。
【図９】実施例装置によるＸ線撮影動作の一連の流れを示すフローチャートである。
【図１０】他の実施例装置の要部構成を示すブロック図である。
【図１１】他の実施例装置によるＸ線撮影時の様子を示す模式図である。
【図１２】実施例装置による頭部ＤＳＡ撮影時の様子を示す模式図である。
【図１３】従来装置の要部構成を示すブロック図である。
【符号の説明】
１    …天板
２    …第１Ｘ線管
３    …第２Ｘ線管
４    …第１Ｘ線センサ
５    …第２Ｘ線センサ
６    …Ｃ字状アーム
Ｍ    …患者
ＸＤ  …Ｘ線検出素子
【図１】
0003896663.tif 000002
【図２】
0003896663.tif 000003
【図３】
0003896663.tif 000004
【図４】
0003896663.tif 000005
【図５】
0003896663.tif 000006
【図６】
0003896663.tif 000007
【図７】
0003896663.tif 000008
【図８】
0003896663.tif 000009
【図９】
0003896663.tif 000010
【図１０】
0003896663.tif 000011
【図１１】
0003896663.tif 000012
【図１２】
0003896663.tif 000013
【図１３】
0003896663.tif 000014